(57)【要約】【課題】無線親機と無線機器を、接続情報の入力を要することなく、より簡便に相互に無線接続することができる無線通信システム等を提供する。【解決手段】無線通信システム１０００は、ネットワーク４００に接続された無線親機１００と、無線親機１００と無線接続する無線機器２００とを有する。無線親機１００は、無線機器２００と無線接続するための接続情報をアナログ音声信号に変換した接続情報信号音声を、無線機器２００に出力する。無線機器２００は、無線親機１００から出力された接続情報信号音声を取得し、接続情報を含むデジタルデータに変換し、デジタルデータから接続情報を抽出したのちに接続情報を格納し、格納した接続情報に基づいて、無線親機１００と無線接続を確立して通信する。【選択図】      図１
2014239374.tif 000002
【特許請求の範囲】
【請求項１】
ネットワークに接続された無線親機と、前記無線親機と無線接続する無線機器と、を有する無線通信システムであって、
前記無線親機は、
前記無線機器と無線接続するための接続情報を保持する接続情報保持部と、
前記接続情報保持部に保持されている前記接続情報を取得し、取得した前記接続情報をアナログ音声信号に変換した接続情報信号音声を、前記無線機器に出力する接続情報音声出力部と、
前記無線機器と無線接続を確立して通信する第１の通信部とを有し、
前記無線機器は、
前記接続情報音声出力部から出力された前記接続情報信号音声を取得し、前記接続情報を含むデジタルデータに変換し、前記デジタルデータから前記接続情報を抽出する接続情報取得部と、
前記無線親機と無線接続するために必要な前記接続情報を格納するために設けられ、前記接続情報取得部で抽出した前記接続情報が格納される接続情報格納部と、
前記接続情報格納部に格納された前記接続情報に基づいて、前記無線親機と無線接続を確立して通信する第２の通信部と、を有する無線通信システム。
【請求項２】
前記接続情報保持部に保持された前記接続情報は、任意に設定可能であり、
前記接続情報音声出力部は、前記接続情報が設定変更されたときに、設定変更された前記接続情報を前記接続情報保持部から取得する請求項１に記載の無線通信システム。
【請求項３】
前記無線親機は、前記接続情報音声出力部を起動する第１の起動部を有し、
前記第１の起動部により前記接続情報音声出力部が起動されたとき、前記接続情報音声出力部は、前記接続情報保持部から前記接続情報を取得する請求項１又は２に記載の無線通信システム。
【請求項４】
前記無線機器は、前記接続情報取得部を起動する第２の起動部を有し、
前記第２の起動部により前記接続情報取得部が起動されたとき、前記接続情報取得部は、前記接続情報音声出力部から出力された前記接続情報信号音声を取得し、前記接続情報を含むデジタルデータに変換する請求項１から３の何れか１項に記載の無線通信システム。
【請求項５】
前記接続情報音声出力部は、
前記接続情報保持部から取得した前記接続情報を暗号化する暗号化部を有し、
前記暗号化部で暗号化された前記接続情報をアナログ音声信号に変換して、前記接続情報信号音声として前記無線機器に出力し、
前記接続情報取得部は、
前記デジタルデータから抽出した暗号化後の前記接続情報を復号化する復号化部を有し、
前記復号化部で復号化された復号化後の前記接続情報を前記接続情報格納部に格納する請求項１から４の何れか１項に記載の無線通信システム。
【請求項６】
前記接続情報音声出力部は、前記接続情報信号音声に加えて、前記接続情報信号音声の送信開始を示す送信開始信号音声と、前記接続情報信号音声の送信終了を示す送信終了信号音声とを、前記送信開始信号音声、前記接続情報信号音声および前記送信終了信号音声の順で、前記無線機器へ出力し、
前記接続情報取得部は、前記接続情報音声出力部から出力された前記送信開始信号音声、前記接続情報信号音声および前記送信終了信号音声のうち、前記送信開始信号音声および前記送信終了信号音声の間に設けられた前記接続情報信号音声を取得し、取得した前記接続情報信号音声を、前記接続情報を含むデジタルデータに変換する請求項１から５の何れか１項に記載の無線通信システム。
【請求項７】
ネットワークに接続され、無線機器と無線接続する無線親機であって、
前記無線機器と無線接続するための接続情報を保持する接続情報保持部と、
前記接続情報保持部に保持されている前記接続情報を取得し、取得した前記接続情報をアナログ音声信号に変換した接続情報信号音声を、前記無線機器に出力する接続情報音声出力部と、
前記無線機器と無線接続を確立して通信する第１の通信部と、を備えた無線親機。
【請求項８】
ネットワークに接続され、無線機器と無線接続するための接続情報を保持する無線親機と、前記接続情報に基づいて前記無線親機と無線接続する無線機器であって、
前記無線親機から出力された前記接続情報をアナログ音声信号に変換した接続情報信号音声を、取得し、前記接続情報を含むデジタルデータに変換し、前記デジタルデータから前記接続情報を抽出する接続情報取得部と、
前記無線親機と無線接続するために必要な前記接続情報を格納するために設けられ、前記接続情報取得部で抽出した前記接続情報が格納される接続情報格納部と、
前記接続情報格納部に格納された前記接続情報に基づいて、前記無線親機と無線接続を確立して通信する第２の通信部と、を備えた無線機器。
【請求項９】
ネットワークに接続され、無線機器と無線接続するための接続情報を保持する無線親機と、前記無線親機と無線接続する無線機器との間で行われる無線通信方法であって、
無線親機が、前記接続情報をアナログ音声信号に変換して、接続情報信号音声として前記無線機器に出力する音声出力ステップと、
前記無線機器が、前記音声出力ステップで出力された前記接続情報信号音声を取得し、前記接続情報を含むデジタルデータに変換し、前記デジタルデータから前記接続情報を抽出する接続情報取得ステップと、
前記無線機器が、前記接続情報取得ステップで抽出した前記接続情報を格納する接続情報格納ステップと、
前記無線機器が、前記接続情報格納ステップで格納した前記接続情報に基づいて前記無線親機と無線接続を確立して通信する無線通信ステップと、を含む無線通信方法。
【発明の詳細な説明】
【技術分野】
【０００１】
本発明は、無線通信システム等に関し、例えば、無線親機と無線機器とを含む無線通信システム等に関する。
【背景技術】
【０００２】
近年、アクセスポイントなどの無線ＬＡＮ（Local  Area  Network）親機（以下、無線親機という）とゲーム機やパーソナルコンピュータやスマートフォンなどの無線ＬＡＮ子機機能を有する通信機器（以下、無線機器という）とを無線ＬＡＮ接続（以下、無線接続という）する技術が広く知られている。無線親機と無線機器とを無線接続するためには、無線親機にＳＳＩＤ（Service  Set  Identifier）や暗号化キーなどの接続情報を各種個別に設定する必要があった。さらに、無線親機に設定された接続情報を無線機器に入力する必要があり、無線接続の設定が煩わしいものであった。そのため、無線親機や無線機器の操作に慣れていないユーザが、誤った接続情報を入力してしまうといった場合があった。このように、ユーザにとっては、無線親機と無線機器とを無線接続するための設定を行うことが困難であった。上述したような接続情報の設定や入力の手間を低減する技術として、ＷＰＳ（Wi-Fi  Protected  Setup）といった技術が知られている。ＷＰＳでは、ユーザが予めＰＩＮ（Personal  Identification  Number）コードを調べておき、そのＰＩＮコードを無線機器に入力することで無線親機と無線機器との無線接続設定を完了させる。ＷＰＳに関連して、例えば、特許文献１では、入力されたＰＩＮコードをもとにＳＳＩＤを自動生成する技術が記載されている。これらのＷＰＳの技術によって、接続情報を設定あるいは入力する回数を減らすことができる。
【先行技術文献】
【特許文献】
【０００３】
【特許文献１】特表２００９−５１３０８９号公報
【発明の概要】
【発明が解決しようとする課題】
【０００４】
しかしながら、上述した特許文献１で例示したＷＰＳの技術を用いたとしても、ユーザは、ＰＩＮコードを無線機器へ入力する必要があり、入力ミスが発生するという問題を完全に解決することができなかった。また、上述したＷＰＳの技術を用いる場合、無線親機や無線機器がＷＰＳに対応している必要があった。
【０００５】
本発明は、このような事情を鑑みてなされたものであり、その目的は、無線親機と無線機器を、接続情報の入力を要することなく、より簡便に相互に無線接続することができる無線通信システム等を提供することにある。
【課題を解決するための手段】
【０００６】
本発明の無線通信システムは、ネットワークに接続された無線親機と、前記無線親機と無線接続する無線機器と、を有する無線通信システムであって、前記無線親機は、前記無線機器と無線接続するための接続情報を保持する接続情報保持部と、前記接続情報保持部に保持されている前記接続情報を取得し、取得した前記接続情報をアナログ音声信号に変換した接続情報信号音声を、前記無線機器に出力する接続情報音声出力部と、前記無線機器と無線接続を確立して通信する第１の通信部とを有し、前記無線機器は、前記接続情報音声出力部から出力された前記接続情報信号音声を取得し、前記接続情報を含むデジタルデータに変換し、前記デジタルデータから前記接続情報を抽出する接続情報取得部と、前記無線親機と無線接続するために必要な前記接続情報を格納するために設けられ、前記接続情報取得部で抽出した前記接続情報が格納される接続情報格納部と、前記接続情報格納部に格納された前記接続情報に基づいて、前記無線親機と無線接続を確立して通信する第２の通信部と、を有する。
【発明の効果】
【０００７】
本発明にかかる技術によれば、無線親機と無線機器を、接続情報の入力を要することなく、より簡便に相互に無線接続することができる。
【図面の簡単な説明】
【０００８】
【図１】本発明の第１の実施の形態にかかる無線通信システムの構成を示す図である。
【図２】本発明の第１の実施の形態にかかる無線通信システムの構成の概略を示す図である。
【図３】本発明の第１の実施の形態にかかる無線通信システムの動作フローを示す図である。
【図４】本発明の第２の実施の形態にかかる無線通信システムの構成を示す図である。
【図５】本発明の第２の実施の形態にかかる無線通信システムの動作フローを示す図である。
【発明を実施するための形態】
【０００９】
＜第１の実施の形態＞
図１は、本発明の第１の実施の形態にかかる無線通信システム１０００の構成を示す図である。図２は、本発明の第１の実施の形態にかかる無線通信システム１０００の構成の概略を示す図である。以下の説明では、まず、図２を用いて無線通信システム１０００の概略を説明し、その後に図１を用いて無線通信システム１０００の詳細な構成を説明する。
【００１０】
まず、図２に基づいて、無線通信システム１０００の構成の概略を説明する。図２に示されるように、無線通信システム１０００は、少なくとも、無線親機１００と、無線機器２００とを含んで構成される。
【００１１】
無線親機１００は、ＬＡＮケーブルを用いてルータ３００と相互に接続され、ルータ３００を介してネットワーク４００と相互に接続されている。無線親機１００は、無線機器２００と無線接続するための接続情報をアナログ信号音声として無線機器２００へ出力する。無線親機１００は、例えば、無線アクセスポイントなどの無線機である。無線親機１００は、例えば、一般家庭やオフィスビル等の建屋内に設置される。
【００１２】
無線機器２００は、無線親機１００から出力されるアナログ信号音声を取得し、接続情報に変換した後、接続情報に基づいて無線親機１００と相互に無線接続する。なお、図示はしないが、無線機器２００は複数であってもよく、その場合、それぞれの無線機器２００が無線親機１００と相互に無線接続する。無線機器２００は、例えば、ゲーム機やパーソナルコンピュータやスマートフォンなどの無線ＬＡＮ子機機能を有する通信機器である。
【００１３】
次に、図１に基づいて、無線通信システム１０００の構成の詳細について、具体的に説明する。図１に示されるように、無線親機１００は、出力部起動部１１０と、接続情報保持部１２０と、接続情報音声出力部１３０と、第１の通信部１４０とを含んで構成されている。
【００１４】
出力部起動部１１０は、接続情報音声出力部１３０を起動する。出力部起動部１１０は、無線親機１００に実装されている例えば、スイッチやボタンであり、ユーザによって操作される。なお、出力部起動部１１０は、本発明の第１の起動部に相当する。この出力部起動部１１０は、接続情報音声出力部１３０を起動するためのものである。そのため、例えば、無線親機１００の電源（不図示）がＯＮになったとき、接続情報音声出力部１３０が起動する設定とした場合、出力部起動部１１０は、必ずしも本発明に必要ではない。
【００１５】
接続情報保持部１２０は、無線機器２００と無線接続するための接続情報を保持する。接続情報は、例えば、ＳＳＩＤや暗号化キーなどの無線親機を識別するための識別子である。接続情報保持部１２０は、例えば、フラッシュメモリなどの情報記録媒体である。なお、接続情報保持部１２０が保持する接続情報は、０と１で表されるデジタルデータであり、例えば、無線親機１００の製品出荷時に予め設定され、接続情報保持部１２０に記録されている。しかしながら、接続情報保持部１２０に保持された接続情報は、任意に設定変更可能にしてもよい。この場合、例えば、ユーザが無線親機１００に対して接続情報を入力するようにして設定変更してもよいし、接続情報保持部１２０が任意のタイミングで接続情報を設定変更してもよい。
【００１６】
接続情報音声出力部１３０は、音声変換部１３１及びスピーカ部１３２を有している。接続情報音声出力部１３０は、出力部起動部１１０によって起動されたときに、接続情報保持部１２０に保持されている接続情報を取得する。なお、前述のように、接続情報音声出力部１３０は、必ずしも出力部起動部１１０によって起動されなくてもよく、例えば、無線親機１００の電源がＯＮになったときに起動し、接続情報保持部１２０に保持されている接続情報を取得してもよい。なお、前述のように、接続情報を任意に設定変更可能とした場合、接続情報音声出力部１３０は、接続情報が設定変更されたときに、設定変更された接続情報を接続情報保持部１２０から取得する。音声変換部１３１は、接続情報音声出力部１３０が接続情報保持部１２０から取得した接続情報をアナログ音声信号に変換する。音声変換部１３１は、例えばＤ／Ａ（Digital  To  Analog）変換回路などから構成される。スピーカ部１３２は、音声変換部１３１で変換したアナログ音声信号をうけ、接続情報信号音声として無線機器２００へ出力する。なお、スピーカ部１３２は、無線親機１００と無線機器２００とが相互に無線接続を確立した場合に、接続情報信号音声の出力を終えるようにしてもよい。なお、スピーカ部１３２は、接続情報信号音声に加えて、接続情報信号音声の送信開始を示す送信開始信号音声と、接続情報信号音声の送信終了を示す送信終了信号音声とを、送信開始信号音声、接続情報信号音声および送信終了信号音声の順で、無線機器２００へ出力してもよい。この場合、スピーカ部１３２は、接続情報信号音声を出力する際に、送信開始信号音声および送信終了信号音声を合成して出力する。また、この場合、送信開始信号音声および送信終了信号音声は、予め無線親機１００に設定されている。
【００１７】
第１の通信部１４０は、無線機器２００と無線接続を確立して通信する。
【００１８】
図１に示されるように、無線機器２００は、取得部起動部２１０と、接続情報取得部２２０と、接続情報格納部２３０と、第２の通信部２４０とを含んで構成されている。
【００１９】
取得部起動部２１０は、接続情報取得部２２０のマイク部２２１を起動する。取得部起動部２１０は、無線機器２００に実装されているスイッチやボタン等であり、ユーザによって操作される。なお、取得部起動部２１０は、本発明の第２の起動部に相当する。この取得部起動部２１０は、接続情報取得部２２０のマイク部２２１を起動するためのものである。そのため、例えば、無線機器２００の電源（不図示）がＯＮになったとき、接続情報取得部２２０のマイク部２２１が起動する設定とした場合、取得部起動部２１０は、必ずしも本発明に必要ではない。
【００２０】
接続情報取得部２２０は、マイク部２２１及び接続情報変換部２２２を有している。マイク部２２１は、取得部起動部２１０によって起動されたときに、接続情報音声出力部１３０から出力された接続情報信号音声を取得する。なお、前述のように、マイク部２２１は、必ずしも取得部起動部２１０によって起動されなくてもよく、例えば、無線機器２００の電源がＯＮになったときに起動し、接続情報音声出力部１３０から出力された接続情報信号音声を取得してもよい。なお、マイク部２２１は、無線親機１００と無線機器２００とが相互に無線接続を確立した場合に、接続情報信号音声の取得を終えるようにしてもよい。接続情報変換部２２２は、マイク部２２１で取得した接続情報信号音声であるアナログ音声信号をデジタルデータに変換する。接続情報変換部２２２は、例えばＡ／Ｄ（Analog  To  Digital）変換回路などから構成される。接続情報取得部２２０は、接続情報変換部２２２で変換されたデジタルデータから接続情報を抽出し、抽出した接続情報を接続情報格納部２３０に格納する。なお、前述のように、接続情報音声出力部１３０が、スピーカ部１３２から接続情報信号音声に加えて送信開始信号音声および送信終了信号音声を出力した場合、マイク部２２１は、送信開始信号音声、接続情報信号音声および送信終了信号音声を集音し、接続情報取得部２２０は、マイク部２２１が集音した送信開始信号音声、接続情報信号音声および送信終了信号音声のうち、送信開始信号音声および送信終了信号音声の間に設けられた接続情報信号音声のみを選択的に取得して接続情報変換部２２２へ送り、接続情報変換部２２２は、接続情報信号音声をデジタルデータに変換する。送信開始信号音声および送信終了信号音声は、予め設定された信号音声のため、接続情報取得部２２０は、送信開始信号音声および送信終了信号音声を判断し、接続情報信号音声を選択的に取得することができる。
【００２１】
接続情報格納部２３０は、無線親機１００と無線接続するために必要な接続情報を格納するために設けられ、接続情報取得部２２０でデジタルデータから抽出した接続情報が格納される。
【００２２】
第２の通信部２４０は、接続情報格納部２３０に格納された接続情報に基づいて、無線親機１００と無線接続を確立して通信する。
【００２３】
次に、本発明の第１の実施の形態にかかる無線通信システム１０００の動作について説明する。図３は、無線通信システム１０００の動作フローを示す図である。
【００２４】
まず、ユーザは、出力部起動部１１０を操作し、接続情報音声出力部１３０を起動する（ステップ（以下、Ｓとする）１１０）。なお、前述のように、接続情報音声出力部１３０は、必ずしも出力部起動部１１０によって起動されなくてもよい。
【００２５】
ユーザが出力部起動部１１０を操作し接続情報音声出力部１３０を起動させると、接続情報音声出力部１３０は、接続情報保持部１２０から接続情報を取得する（Ｓ１２０）。
【００２６】
次に、音声変換部１３１は、接続情報音声出力部１３０が取得した接続情報をアナログ音声信号に変換する（Ｓ１３０）。
【００２７】
そして、スピーカ部１３２は、音声変換部１３１で変換したアナログ音声信号をうけ、接続情報信号音声として無線機器２００へ放音する（Ｓ１４０）。なお、前述のように、スピーカ部１３２は、接続情報信号音声に加えて、接続情報信号音声の送信開始を示す送信開始信号音声と、接続情報信号音声の送信終了を示す送信終了信号音声とを、送信開始信号音声、接続情報信号音声および送信終了信号音声の順で、無線機器２００へ出力してもよい。なお、無線親機１００は、接続情報を接続情報信号音声として無線機器へ出力する際、接続情報に誤り訂正符号を加えて出力してもよい。誤り訂正符号は、例えば、無線親機１００の製品出荷時に、接続情報に加えて予め設定されてもよい。あるいは、接続情報音声出力部１３０が、接続情報保持部１２０から接続情報を取得する際に、接続情報に加えて誤り訂正符号を加えてもよい。
【００２８】
無線機器２００では、ユーザが、取得部起動部２１０を操作し、接続情報取得部２２０のマイク部２２１を起動させる（Ｓ２１０）。なお、前述のように、マイク部２２１は、必ずしも取得部起動部２１０によって起動されなくてもよい。
【００２９】
ユーザが取得部起動部２１０を操作しマイク部２２１を起動させると、マイク部２２１は、接続情報音声出力部１３０から放音された接続情報信号音声を集音して取得する（Ｓ２２０）。なお、前述のように、接続情報音声出力部１３０が、スピーカ部１３２から接続情報信号音声に加えて送信開始信号音声および送信終了信号音声を出力した場合、マイク部２２１は、送信開始信号音声、接続情報信号音声および送信終了信号音声を集音し、接続情報取得部２２０は、マイク部２２１が集音した送信開始信号音声、接続情報信号音声および送信終了信号音声のうち、送信開始信号音声および送信終了信号音声の間に設けられた接続情報信号音声のみを選択的に取得して接続情報変換部２２２へ送る。
【００３０】
次に、接続情報変換部２２２が、マイク部２２１で取得した接続情報信号音声であるアナログ音声信号をデジタルデータに変換する（Ｓ２３０）。
【００３１】
そして、接続情報取得部２２０は、接続情報変換部２２２で変換したデジタルデータを接続情報として抽出する（Ｓ２４０）。なお、前述のように、接続情報に誤り訂正符号が加えられている場合、Ｓ２４０では、接続情報取得部２２０は、誤り訂正符号に基づいてエラーを検出し、誤り訂正を行い、接続情報を抽出する。
【００３２】
そして、接続情報取得部２２０は、Ｓ２４０で抽出した接続情報を接続情報格納部２３０に格納する（Ｓ２５０）。
【００３３】
さらに、第２の通信部２４０が、接続情報格納部２３０に格納された接続情報に基づいて、無線親機１００と無線接続を確立して相互に通信する（Ｓ２６０）。具体的には、無線機器２００の第２の通信部２４０が、接続情報格納部２３０に格納された接続情報に基づいて、無線親機１００の第１の通信部１４０に対して無線接続の確立を要求する。これに対して、第１の通信部１４０が、第２の通信部２４０の要求を受信し、第２の通信部２４０が送信した接続情報と接続情報保持部１２０に保持された接続情報とを照合し、その要求の正当性を認証する。第１の通信部１４０が第２の通信部２４０の要求を正当であると認証した場合、第１の通信部１４０と第２の通信部２４０は、互いに無線接続を確立し通信する。
【００３４】
以上に説明したように、本発明の第１の実施の形態における無線通信システム１０００は、ネットワーク４００に接続された無線親機１００と、無線親機１００と無線接続する無線機器２００とを有する無線通信システムである。無線親機１００は、接続情報保持部１２０と接続情報音声出力部１３０と、第１の通信部１４０とを有している。接続情報保持部１２０は、無線機器２００と無線接続するための接続情報を保持する。接続情報音声出力部１３０は、接続情報保持部１２０に保持されている接続情報を取得し、取得した接続情報をアナログ音声信号に変換した接続情報信号音声を、無線機器２００に出力する。第１の通信部１４０は、無線機器２００と無線接続を確立して通信する。無線機器２００は、接続情報取得部２２０と、接続情報格納部２３０と、第２の通信部２４０とを有している。接続情報取得部２２０は、接続情報音声出力部１３０から出力された接続情報信号音声を取得し、接続情報を含むデジタルデータに変換し、デジタルデータから接続情報を抽出する。接続情報格納部２３０は、無線親機１００と無線接続するために必要な接続情報を格納するために設けられ、接続情報取得部２２０で抽出した接続情報が格納される。第２の通信部２４０は、接続情報格納部２３０に格納された接続情報に基づいて、無線親機１００と無線接続を確立して通信する。
【００３５】
このように、本発明の第１の無線通信システム１０００では、無線親機１００が接続情報を接続情報信号音声として出力し、無線機器２００は、無線親機１００から出力された接続情報信号音声を取得して接続情報を得たのち、無線親機１００と相互に無線通信を確立して通信する。このため、無線親機１００と無線機器２００を、接続情報の入力を要することなく、より簡便に相互に無線接続することができる。また、一般的には、無線親機と無線機器とを相互に無線接続するための接続情報は、無線親機から無線機器へ電波を用いて送信されていた。しかし、例えば、ユーザが一般住宅の屋内にて無線親機と無線機器を接続するような場合、本来意図しない屋外のユーザが、ユーザが持つ無線機器を用いて接続情報を含む電波を取得し、その接続情報をもとに無線親機と無線機器との無線接続を確立してしまう可能性があり、セキュリティ上の問題があった。これに対して、本発明の無線通信システム１０００では、無線親機１００から無線機器２００への接続情報の出力を信号音声として出力する。これにより、電波を用いた接続情報の出力と比較して、電波の届く範囲よりも音声が届く範囲は小さくなるから、本来意図しないユーザが無線親機１００から出力する接続情報を取得する可能性を低減することができる。
【００３６】
また、本発明の第１の実施の形態における無線通信システム１０００において、接続情報保持部１２０に保持された接続情報は、任意に設定可能であり、接続情報音声出力部１３０は、接続情報が設定変更されたときに、設定変更された接続情報を接続情報保持部１２０から取得する。このように、設定変更された接続情報を接続情報出力部１３０が取得して無線機器２００へ接続情報信号音声として出力し、無線親機１００と無線機器２００は相互に無線接続を確立するので、接続情報を設定変更した後、煩雑な操作などを必要とすることなく、無線親機１００と無線機器２００は、無線接続を確立することができる。
【００３７】
また、本発明の第１の実施の形態における無線通信システム１０００において、無線親機１００は、接続情報音声出力部１３０を起動する出力部起動部１１０を有し、出力部起動部１１０により接続情報音声出力部１３０が起動されたとき、接続情報音声出力部１３０は、接続情報保持部１２０から接続情報を取得する。これにより、ユーザは、任意のタイミングで接続情報出力部１３０を起動することができ、本来意図しないユーザが接続情報を取得する可能性を低減することができる。
【００３８】
また、本発明の第１の実施の形態における無線通信システム１０００において、無線機器２００は、接続情報取得部２２０を起動する取得部起動部２１０を有し、取得部起動部２１０により接続情報取得部２２０が起動されたとき、接続情報取得部２２０は、接続情報音声出力部１３０から出力された接続情報信号音声を取得し、接続情報を含むデジタルデータに変換する。これにより、ユーザは、任意のタイミングで接続情報取得部２２０を起動することができ、本来無線接続を確立したい無線親機ではない無線親機が出力した接続情報信号音声の取得を防止でき、意図しない無線親機との無線接続の確立を防止することができる。
【００３９】
また、本発明の第１の実施の形態における無線通信システム１０００において、接続情報音声出力部１３０は、接続情報信号音声に加えて、接続情報信号音声の送信開始を示す送信開始信号音声と、接続情報信号音声の送信終了を示す送信終了信号音声とを、送信開始信号音声、接続情報信号音声および送信終了信号音声の順で、無線機器２００へ出力し、接続情報取得部２２０は、接続情報音声出力部１３０から出力された送信開始信号音声、接続情報信号音声および送信終了信号音声のうち、送信開始信号音声および送信終了信号音声の間に設けられた接続情報信号音声を取得し、取得した接続情報信号音声を、接続情報を含むデジタルデータに変換する。このように、送信開始信号音声および送信終了信号音声を接続情報信号音声の前後に挿入することで、接続情報取得部２２０は、接続情報信号音声の開始と終了を正確に把握でき、より正確に接続情報信号音声を取得することができ、無線機器２００が接続情報を誤って取得することを防止できる。
【００４０】
また、本発明の第１の実施の形態における無線親機１００は、ネットワーク４００に接続され、無線機器２００と無線接続する。この無線親機１００は、少なくとも接続情報保持部１２０と、接続情報音声出力部１３０と、第１の通信部１４０とを有する。接続情報保持部１２０は、無線機器２００と無線接続するための接続情報を保持する。接続情報音声出力部１３０は、接続情報保持部１２０に保持されている接続情報を取得し、取得した接続情報をアナログ音声信号に変換した接続情報信号音声を、無線機器２００に出力する。第１の通信部１４０は、無線機器２００と無線接続を確立して通信する。このように、無線親機１００は、接続情報を接続情報信号音声として無線機器２００へ出力するので、上述した無線通信システム１０００と同様の効果を奏する。
【００４１】
また、本発明の第１の実施の形態における無線機器２００は、ネットワーク４００に接続され、無線機器２００と無線接続するための接続情報を保持する無線親機１００と、接続情報に基づいて無線接続する。この無線機器２００は、少なくとも接続情報取得部２２０と、接続情報格納部２３０と、第２の通信部２４０とを有する。接続情報取得部２２０は、無線親機１００から出力された接続情報をアナログ音声信号に変換した接続情報信号音声を、取得し、接続情報を含むデジタルデータに変換し、デジタルデータから接続情報を抽出する。接続情報格納部２３０は、無線親機１００と無線接続するために必要な接続情報を格納するために設けられ、接続情報取得部２２０で抽出した接続情報が格納される。第２の通信部２４０は、接続情報格納部２３０に格納された接続情報に基づいて、無線親機１００と無線接続を確立して通信する。このように、無線機器２００は、接続情報をアナログ音声信号に変換した接続情報信号音声を、無線親機１００から取得し、接続情報信号音声から接続情報を抽出して無線親機１００と無線接続を確立する。そのため、ユーザは、接続情報の入力を要することがなく、より簡便に無線親機１００と無線機器２００を相互に無線接続することができる。
【００４２】
また、本発明の第１の実施の形態における無線通信方法は、ネットワーク４００に接続され、無線機器２００と無線接続するための接続情報を保持する無線親機１００と、無線親機１００と無線接続する無線機器２００との間で行われる。この無線通信方法は、音声出力ステップと、接続情報取得ステップと、接続情報格納ステップと、無線通信ステップとを含む。音声出力ステップは、無線親機１００が、接続情報をアナログ音声信号に変換して、接続情報信号音声として無線機器２００に出力する。接続情報取得ステップは、無線機器２００が、音声出力ステップで出力された接続情報信号音声を取得し、接続情報を含むデジタルデータに変換し、デジタルデータから接続情報を抽出する。接続情報格納ステップは、無線機器２００が、接続情報取得ステップで抽出した接続情報を格納する。無線通信ステップは、無線機器２００が、接続情報格納ステップで格納した接続情報に基づいて無線親機１００と無線接続を確立して通信する。この無線通信方法は、上述した無線通信システム１０００のシステムの発明を方法の発明としたものであるから、上述した無線通信システム１０００と同様の効果を奏する。
＜第２の実施の形態＞
本発明の第２の実施の形態にかかる無線通信システム１０００Ａについて、図に基づいて説明する。
【００４３】
まず、本発明の第２の実施の形態にかかる無線通信システム１０００Ａの構成について、図４を用いて説明する。図４は、本発明の第２の実施の形態にかかる無線通信システム１０００Ａの構成を示す図である。なお、図４では、図１、２で示した各構成要素と同等の構成要素には、図１、２に示した符号と同等の符号を付している。
【００４４】
図４に示されるように、無線親機１００Ａは、出力部起動部１１０と、接続情報保持部１２０と、接続情報音声出力部１３０Ａと、第１の通信部１４０とを有している。接続情報音声出力部１３０Ａは、音声変換部１３１と、スピーカ部１３２と、暗号化部１３３とを有している。また、無線機器２００Ａは、取得部起動部２１０と、接続情報取得部２２０Ａと、接続情報格納部２３０と、第２の通信部２４０とを有している。接続情報取得部２２０Ａは、マイク部２２１と、接続情報変換部２２２と、復号化部２２３とを有している。
【００４５】
ここで、図１と図４とを対比する。図４では、無線親機１００Ａの接続情報音声出力部１３０Ａは、暗号化部１３３を備えた点で、図１に示される無線親機１００の接続情報音声出力部１３０と互いに相違する。また、図４では、無線機器２００Ａの接続情報取得部２２０Ａは、復号化部２２３を備えた点で、図１に示される無線機器２００の接続情報取得部２２０と互いに相違する。以下の説明では、図１、２で示した構成と同等の構成については、説明を省略する。
【００４６】
接続情報音声出力部１３０Ａは、暗号化部１３３を有する。暗号化部１３３は、接続情報音声出力部１３０が接続情報保持部１２０から取得した接続情報を暗号化して、暗号化後の接続情報を音声変換部１３１に送る。暗号化部１３３は、一般的な暗号化方式を用いて接続情報を暗号化するが、例えば、復号化部２２３と共通する暗号化鍵を用いる共通鍵暗号方式によって、接続情報を暗号化する。
【００４７】
接続情報取得部２２０Ａは、復号化部２２３を有する。復号化部２２３は、接続情報取得部２２０Ａがデジタルデータから抽出した暗号化後の接続情報を、復号化する。復号化後の接続情報は、接続情報取得部２２０Ａが接続情報格納部２３０に格納する。復号化部２２３は、例えば、暗号化部１３３と共通する暗号化鍵を用いる共通鍵暗号方式によって、接続情報を復号化する。
【００４８】
次に、本発明の第２の実施の形態にかかる無線通信システム１０００Ａの動作について、図５を用いて説明する。図５は、本発明の第２の実施の形態にかかる無線通信システム１０００Ａの動作フローを示す図である。なお、図５において、図３と重複するステップについては、同一の符号を付し、詳しい説明を省略する。
【００４９】
まず、無線親機１００ＡがＳ１１０〜１２０の処理を行う。そして、暗号化部１３３は、Ｓ１２０の処理で接続情報音声出力部１３０Ａが接続情報保持部１２０から取得した接続情報を、暗号化して、暗号化後の接続情報を音声変換部１３１に送る（Ｓ１２１）。そして、音声変換部１３１が、暗号化部１３３で暗号化された接続情報をアナログ音声信号に変換する（Ｓ１３０）。以降、無線親機１００Ａが、Ｓ１４０の処理を行い、無線機器２００Ａが、Ｓ２１０〜Ｓ２４０の処理を行う。次に、復号化部２２３が、Ｓ２４０の処理で接続情報取得部２２０Ａが抽出した暗号化後の接続情報を、復号化する（Ｓ２４１）。そして、接続情報取得部２２０Ａが、Ｓ２４１の処理で復号化した復号化後の接続情報を接続情報格納部２３０に格納する（Ｓ２５０）。以降、無線機器２００Ａが、Ｓ２６０の処理を行う。
【００５０】
以上説明したように、本発明の第２の実施の形態における無線通信システム１０００Ａにおいて、接続情報音声出力部１３０Ａは、接続情報保持部１２０から取得した接続情報を暗号化する暗号化部１３３を有し、暗号化部１３３で暗号化された接続情報をアナログ音声信号に変換して、接続情報信号音声として無線機器に出力し、接続情報取得部２２０Ａは、デジタルデータから抽出した暗号化後の接続情報を復号化する復号化部２２３を有し、復号化部２２３で復号化された復号化後の接続情報を接続情報格納部２３０に格納する。従って、接続情報を暗号化することにより、本来意図しないユーザが接続情報を取得し、その接続情報をもとに無線親機と無線機器とを相互に無線接続することを防止できる。
【００５１】
以上、実施の形態をもとに本発明を説明した。実施の形態は例示であり、本発明の主旨から逸脱しない限り、上述の実施の形態に対して、さまざまな変更、増減、組合せを加えてもよい。
【符号の説明】
【００５２】
１００  無線親機
１１０  出力部起動部
１２０  接続情報保持部
１３０  接続情報音声出力部
１３０Ａ  接続情報音声出力部
１３１  音声変換部
１３２  スピーカ部
１３３  暗号化部
１４０  第１の通信部
２００  無線機器
２１０  取得部起動部
２２０  接続情報取得部
２２０Ａ  接続情報取得部
２２１  マイク部
２２２  接続情報変換部
２２３  復号化部
２３０  接続情報格納部
２４０  第２の通信部
３００  ルータ
４００  ネットワーク
【図１】
2014239374.tif 000003
【図２】
2014239374.tif 000004
【図３】
2014239374.tif 000005
【図４】
2014239374.tif 000006
【図５】
2014239374.tif 000007